(57)【要約】【課題】ペットの紐や電気掃除機の電源コードまたは携帯ＰＨＳ用ストラップなどの紐状物体が挟まれたことを確実に検出できるようにしたエレベータの戸閉安全装置を得る。【解決手段】戸１の先端に上下方向に亘って突出して設けられた接触棒６に障害物が当たると引込み、戸を反転させるものにおいて、先端部に多数の溝からなる鋸歯状の溝６ａが上下方向に設けられた接触棒６と、接触棒の内側に縦方向に延長するように設けられた中枠７と、接触棒と中枠との間に設けられ、接触棒を中枠に対して上下方向にスライド可能に取り付ける前記上下スライド機構６ｂ、９と、接触棒が中枠に対して上下方向にスライドした時に動作し、戸を反転させるとともに、エレベータの運転を阻止する紐状物体検出スイッチ８とを備える。【選択図】図１
2008297120.tif 000002
【特許請求の範囲】
【請求項１】
戸の先端に上下方向に亘って突出して設けられた接触棒に障害物が当たると引込み、戸を反転させるエレベータの戸安全装置において、
先端部に多数の溝からなる鋸歯状の溝が上下方向に設けられた接触棒と、
前記接触棒の内側に上下方向に延長するように設けられた中枠と、
前記接触棒と前記中枠との間に設けられ、前記接触棒を前記中枠に対して上下方向にスライド可能に取り付ける前記上下スライド機構と、
前記接触棒が前記中枠に対して上下方向にスライドした時に動作し、戸を反転させるとともに、エレベータの運転を阻止する紐状物体検出スイッチと、
を備えたことを特徴とするエレベータ戸安全装置。
【請求項２】
中枠は、三角溝カムと、前記三角溝カムに嵌り込まれるコロ付きリンクと、前記コロ付きリンクを付勢するバネと、前記コロ付きリンクを回転支持するリンク支持部とを備え、前記コロ付きリンクのコロが前記バネの付勢力で前記三角溝カムに押し付けられて接触棒の上下高さ位置を保持しており、戸閉時に前記接触棒が中枠に対して上下方向にスライドすると、前記コロ付きリンクのコロがバネの付勢力に抗して前記三角溝カムから押し出され、前記リンク支持部を支点に前記コロ付きリンクを回転させて紐状物体検出スイッチを作動させることを特徴とする請求項１項に記載のエレベータ戸安全装置。
【請求項３】
戸の先端に上下方向に亘って突出して設けられた接触棒に障害物が当たると引込み、戸を反転させるエレベータの戸安全装置において、
接触棒と、
前記接触棒と戸の間に設けられ、先端部に多数の溝からなる鋸歯状の溝が上下方向に設けられた検出プレートと、
前記検出プレートを前記接触棒に対して上下方向にスライド可能に取り付けるリンク機構と、
前記検出プレートと前記戸との間に設けられ、常時前記検出プレートを所定の高さ位置に保持する保持機構と、
前記検出プレートが前記接触棒に対して上下方向にスライドした時に動作し、戸を反転させるとともに、エレベータの運転を阻止する紐状物体検出スイッチと、
を備えたことを特徴とするエレベータ戸安全装置。
【請求項４】
検出プレートは、上下にリンク機構を備え、中央部に三角溝カムを２つ備え、一方の三角溝カムには先端にコロ付きのバネで支持されたコロ付き押え装置で押し付けることにより前記検出プレート高さ位置を保持しており、他方の三角溝カムには先端にコロ付きの紐状物体検出スイッチを設け、戸閉時に前記検出プレートが上下方向にスライドすると、前記コロ付き押え装置のコロがバネの付勢力に抗して前記一方の三角溝カムから押し出されるとともに、前記紐状検出スイッチの先端コロが他方の三角溝カムから押し出されて前記紐状物体検出スイッチを作動を作動させることを特徴とする請求項３記載のエレベータ戸安全装置。
【請求項５】
戸反転動作は戸開ゾーンを大きく外れるときは戸開放寸法を規制するように制御することを特徴とする請求項１〜請求項４のいずれかに記載のエレベータ戸安全装置。
【発明の詳細な説明】
【技術分野】
【０００１】
この発明は、ペットの紐や電気掃除機のコードような紐状物体がエレベータの戸に挟まれたまま、かごが走行してしまうのを防止するエレベータの戸閉安全装置に関するものである。
【背景技術】
【０００２】
従来、エレベータの戸閉装置に広く使用されている戸閉安全装置の代表的な例を図１１、図１２に示す（例えば、特許文献１参照）。図中、１は出入口を開閉するかごの戸、２はかごの戸１の戸当り側先端部に上下方向に亘って設けられた接触棒、３はかごの戸１の上下２個所に設けられた上部及び下部取付板、３ａは接触棒２の上部と上部取付板３とを連結する上部リンクで、上端部がピン４により接触棒２に取り付けられ、中央部がピン４ａにより上部取付板３に取り付けられている。３ｂは接触棒２の下部と下部取付板３とを連結する下部リンクで、上端部がピン４により接触棒２に取り付けられ、下端部がピン４ｂにより下部取付板３に取り付けられている。３ｃは上部取付板３に設けられた検出スイッチで、上部リンク３ａの下端部の動きにより作動される。すなわち、かごの戸１の先端に突出した接触棒２に出入口の障害物が当たると、リンク支持された接触棒２が引っ込むことで、上部リンク３ａの下端部が検出スイッチ３ｃを作動させてかごの戸１を反転させる。このエレベータの戸安全装置では、かごの戸１の戸閉時に、かごの戸１の先端に突出した接触棒２に出入口の障害物が当たると、リンク３ａ、３ｂで支持された接触棒２が引込むことで検出スイッチ３ｃが作動し、かごの戸１を反転させるものである。しかし、かごの戸１の先端の接触棒２が検出できる障害物が限られるという問題があった。
例えば、ペットと一緒にエレベータに乗る乗客においては、他の乗客のペットと鉢合わせをした場合、ペットが驚いて逃げ出し、エレベータと乗場をペットを繋いでいる紐や綱が挟まれた状態で戸閉し、そのままかごが走行してしまうと事故の発生に繋がる恐れがある。ペットが突然かごから飛び出した時にエレベータのかごが動き出すと、持っていた紐や綱で乗客が手を負傷する可能性がある。また、かごの動き出しによって紐や綱が引っ張られ、ペットの首が絞められる可能性もある。また、エレベータ清掃の際、乗場コンセントに電気掃除機の電源コードを差したままかご室内を掃除することがある。この時、他の階からの呼びに応答し、掃除機の電源コードを挟んだまま戸閉して、エレベータのかごが動き出すと、掃除機の電源コードが引っ張られて思わぬ事故となる恐れがある。
【０００３】
また、従来技術として、乗客輸送車の扉閉動作時、扉閉動作の異物がセーフティシューに触れると扉閉動作を停止させる停止手段を備えた輸送機用扉装置において、乗客輸送車の乗降方向でセーフティシューと乗客輸送車の乗降用ドアとの間に配置され、乗降用ドアの戸閉速度が減速かつ低速時に、扉閉方向に戸当り部から突出し、扉全閉時は戸当り部と重なるように配置された検出体を備える輸送機用扉装置が知られている（例えば、特許文献２参照）。
【０００４】
【特許文献１】実開昭５６−１３５９８５号公報
【特許文献２】特開２００６−１９９４６１号公報
【発明の開示】
【発明が解決しようとする課題】
【０００５】
特許文献１記載の従来の戸閉安全装置では、ペットの紐や電気掃除機の電源コードや携帯ＰＨＳ用ストラップなどの紐状物体は検出しにくいといった問題があった。
また、特許文献２記載の従来技術では、輸送機であるエレベータが走行を開始した場合、異物が検出体に接触した後、検出体が後退しスイッチが動作する構成であるため、エレベータが一旦は動いてしまうのでそれが危険に繋がるという問題がある。
【０００６】
この発明は、上述のような課題を解決するためになされたもので、ペットの紐や電気掃除機の電源コードまたは携帯ＰＨＳ用ストラップなどの紐状物体が挟まれたことを確実に検出できるようにしたエレベータの戸閉安全装置を提供するものである。
【課題を解決するための手段】
【０００７】
この発明に係るエレベータの戸閉安全装置においては、戸の先端に上下方向に亘って突出して設けられた接触棒に障害物が当たると引込み、戸を反転させるものにおいて、先端部に多数の溝からなる鋸歯状の溝が上下方向に設けられた接触棒と、接触棒の内側に上下方向に延長するように設けられた中枠と、接触棒と中枠との間に設けられ、接触棒を中枠に対して上下方向にスライド可能に取り付ける前記上下スライド機構と、接触棒が中枠に対して上下方向にスライドした時に動作し、戸を反転させるとともに、エレベータの運転を阻止する紐状物体検出スイッチとを備えたものである。
【０００８】
また、この発明に係るエレベータの戸閉安全装置においては、戸の先端に上下方向に亘って突出して設けられた接触棒に障害物が当たると引込み、戸を反転させるものにおいて、接触棒と、接触棒と戸の間に設けられ、先端部に多数の溝からなる鋸歯状の溝が上下方向に設けられた検出プレートと、検出プレートを接触棒に対して上下方向にスライド可能に取り付けるリンク機構と、検出プレートと戸との間に設けられ、常時検出プレートを所定の高さ位置に保持する保持機構と、検出プレートが接触棒に対して上下方向にスライドした時に動作し、戸を反転させるとともに、エレベータの運転を阻止する紐状物体検出スイッチとを備えたものである。
【発明の効果】
【０００９】
この発明によれば、接触棒は従来のようにリンクで出入口の障害物を検出する機能をそのまま残し、新たに接触棒又は検出プレートに鋸歯状溝を設け、接触棒又は検出プレートを上下スライド可能に構成し、上下動を検出する紐状物体検出スイッチを設けたので、ペットの紐などの紐状物体も検出できる。また紐状物体が絡んでの予測のつかないような事故も未然に防ぐことができる。
【発明を実施するための最良の形態】
【００１０】
実施の形態１.
図１はこの発明の実施の形態１におけるエレベータの戸閉安全装置の構成を示す正面図、図２はこの発明の実施の形態１におけるエレベータの戸閉安全装置の要部構成を示す斜視図、図３は図２のＡ−Ａ線に沿った断面図、図４は図２のＢ−Ｂ線に沿った部分拡大断面図、図５は図２のＣ−Ｃ線に沿った拡大断面図、図６は図２のＤ−Ｄ線に沿った部分拡大断面図、図７は紐状物体がかごの戸と乗場の戸に挟まれた状態を示す図３相当の断面図である。
【００１１】
図において、１は出入口を開閉するかごの戸、６はかごの戸１の戸当り側先端部に上下方向に亘って設けられた接触棒、３はかごの戸１の上下２個所に設けられた上部及び下部取付板、３ａは接触棒６の上部と上部取付板３とを連結する上部リンクで、上端部がピン４により接触棒６に取り付けられ、中央部がピン４ａにより上部取付板３に取り付けられている。３ｂは接触棒６の下部と下部取付板３とを連結する下部リンクで、上端部がピン４により接触棒６に取り付けられ、下端部がピン４ｂにより下部取付板３に取り付けられている。３ｃは上部取付板３に設けられた検出スイッチで、上部リンク３ａの下端部の動きにより作動される。すなわち、かごの戸１の先端に突出した接触棒６に出入口の障害物が当たると、リンク支持された接触棒６が引っ込むことで、上部リンク３ａの下端部が検出スイッチ３ｃを作動させてかごの戸１を反転させる。５は敷居上面、５ａは出入口上枠である。
この発明による上記接触棒６は次のように構成されている。すなわち、６ａは接触棒６の戸当り側先端部に上下方向に設けられた多数の溝からなる鋸歯状溝、６ｂは接触棒６の上下部にそれぞれ設けられた上下一対のスライド用長穴で、接触棒６を上下方向にスライド可能にする上下スライド機構の一つを構成するものである。７は接触棒６の内側に重合されて上下方向に延長するように設けられた中枠、７ａは中枠７の中央部の戸当り側に設けられた三角溝カム、７ｂはこの三角溝カム７ａに嵌り込まれるコロ、７ｅはコロ７ｂを先端部に備えたコロ付きリンクで、コロ７ｂはピン７ｇにより回転可能に軸支されている。７ｃは接触棒６の内面とコロ付きリンク７ｅとの間に設けられたバネで、このバネ７ｃはコロ７ｂを常時三角溝カム７ａに嵌り込むように付勢している。７ｄは接触棒６の内側に設けられた軸受からなるリンク支持部で、コロ付きリンク７ｅをピン７ｆにより回転可能に軸支している。８は接触棒６の内側に設けられた紐状物体検出スイッチで、接触棒６が上下方向に移動して上記コロ７ｂが三角溝カム７ａから押し出されると、コロ付きリンク７ｅがピン７ｆを支点として時計方向に回転することにより、コロ付きリンク７ｅの下端部の動きにより紐状物体検出スイッチ８が作動するようになっている。そして、この紐状物体検出スイッチ８が作動すると、かごの戸１を反転させるとともに、エレベータの運転を阻止する。９は中枠７の上下部を上部リンク３ａ及び下部リンク３ｂで支持するピンで、このピン９の両端部を接触棒６のスライド用長穴６ｂに通すことにより、接触棒６を上下の長穴６ｂの範囲で上下向にスライド可能とし、上下スライド機構の一つを構成するものである。なお、１６は乗場の戸、１７はペットの紐などからなる紐状物体である。
【００１２】
以上のように、かごの戸１の戸当り側先端部に取り付けられた接触棒６は、その内側に中枠７を備えており、中枠７の上下部を上部リンク３ａ及び下部リンク３ｂにピン９により支持し、このピン９の両端部を接触棒６のスライド用長穴６ｂに通すことにより、接触棒６を上下の長穴６ｂの範囲で上下方向にスライド可能としている。また、中枠７の中央高さにコロ付きリンク７ｅのコロ７ｂがバネ７ｃの付勢力で三角溝カム７ａに押し付けられて前記接触棒６の上下高さ位置が保持されている。かごの戸１が戸閉した時に、ペットの紐などからなる紐状物体１７がかごの戸１に挟まれると、図７に示すように、紐状物体１７が接触棒６の鋸歯状溝６ａを横切った状態になる。この状態で紐状物体１７を引き抜こうと引っ張ると、或いはまたはエレベータの動きにより紐状物体１７が引っ張られると、鋸歯状溝６ａに紐状物体１７が確実に引っ掛り、接触棒６が上方または下方に引き寄せられる。その結果、前記コロ７ｂが三角溝カム７ａから押し出され、コロ付きリンク７ｅがピン７ｆを支点として時計方向に回転し、コロ付きリンク７ｅの下端部の動きにより紐状物体検出スイッチ８が作動し、エレベータの運転を阻止する。同時にかご戸１を反転させる。但し、エレベータがドアーゾーンを大きく超えて外れている場合は、戸開動作は大きく開かないように戸開閉寸法を規制し、図示省略した別の戸開制限スイッチで制御することにより、戸開した開口から昇降路へペットが逃げて、２次災害が発生しないように未然に防止する。
【００１３】
この実施の形態１によれば、接触棒６は従来のようにリンク３ａ、３ｂで出入口の障害物を検出する機能をそのまま残し、新たに接触棒６に鋸歯状溝６ａを設け、中枠７を基準に接触棒６を上下スライド可能に構成し、上下動を検出する紐状物体検出スイッチ８を設けたので、ペットの紐などの紐状物体１７も検出できる。また紐状物体が絡んでの予測のつかないような事故も未然に防ぐことができる。
【００１４】
実施の形態２.
図８はこの発明の実施の形態２におけるエレベータの戸閉安全装置の構成を示す正面図、図９は図８のＥ部分を拡大して示す要部詳細図、図１０は図８のＦ−Ｆ線に沿った部分拡大断面図である。
【００１５】
図において、１は出入口を開閉するかごの戸、２はかごの戸１の戸当り側先端部に上下向に設けられた接触棒、３はかごの戸１の上下２個所に設けられた上部及び下部取付板、３ａは接触棒２の上部と上部取付板３とを連結する上部リンクで、上端部がピン４により接触棒２に取り付けられ、中央部がピン４ａにより上部取付板３に取り付けられている。３ｂは接触棒２の下部と下部取付板３とを連結する下部リンクで、上端部がピン４により接触棒２に取り付けられ、下端部がピン４ｂにより下部取付板３に取り付けられている。３ｃは上部取付板３に設けられた検出スイッチで、上部リンク３ａの下端部の動きにより作動される。すなわち、かごの戸１の先端に突出した接触棒６に出入口の障害物が当たると、リンク支持された接触棒６が引っ込むことで、上部リンク３ａの下端部が検出スイッチ３ｃを作動させてかごの戸１を反転させる。５は敷居上面、５ａは出入口上枠である。１０はかごの戸１と接触棒２との間に配置されたこの発明による検出プレートである。１０ａは検出プレート１０の戸当り側先端部に上下向に亘って設けられた多数の溝からなる鋸歯状溝、１０ｂ、１０ｃは検出プレート１０の反戸当り側の中央部にそれぞれ設けられた２つの三角溝カム、１１は検出プレート１０の上下部をピン１１ａにより軸支しているリンク、１２は上部取付板３から上方に延長された検出プレート取付部で、リンク１１の他端をピン１１ａにより軸支している。１３は下部取付板３から下方に延長された検出プレート取付部で、リンク１１の他端をピン１１ａにより軸支している。１４ははかごの戸１の中央部に設けられた中央部取付板、１５は中央部取付板１４に取り付けられたコロ付き押えロッド、１５ａはコロ付き押えロッド１５の先端部に設けられたコロで、一方の三角溝カム１０ｃに嵌り込んでいる。１５ｂはバネ押え、１５ｃはバネ押え１５ｂとガイド１５ｄとの間に設けられたバネで、このバネ１５ｃはコロ１５ａを常時一方の三角溝カム１０ｃに嵌り込むように付勢している。１６は中央取付板１４に取り付けられた紐状物体検出スイッチで、検出プレート１０が上下方向に移動して上記コロ１５ａが三角溝カム１０ｃから押し出されると、紐状検出スイッチ１６の操作レバー先端のコロ１６ａが他方の三角溝カム１０ｂから押し出されることにより、紐状物体検出スイッチ１６が作動する。そして、この紐状物体検出スイッチ１６が作動すると、かごの戸１を反転させるとともに、エレベータの運転を阻止する。
【００１６】
以上のように、接触棒２を従来と同じ構造とし、かごの戸１と接触棒２との間に配置された検出プレート１０の戸当り側先端部に上下方向に亘って設けられた多数の溝からなる鋸歯状溝１０ａを設け、この検出プレート１０に紐状物体１７の検出機能を持たせたものである。検出プレート１０の上下部をリンク１１により支持し、検出プレート１０の中央部高さに三角溝カム１０ｂ、１０ｃを２つ並べて、その一方の三角溝カム１０ｃには先端にコロ１５ａを備えたバネ付きの押えロッド１５を嵌り込ませることにより、検出プレート１０を押え、その高さを保持している。他方の三角溝カム１０ｂには紐状物体検出スイッチ１６の操作レバー先端のコロ１６ａが嵌り込むようになっている。かごの戸１が戸閉した時に、ペットの紐などからなる紐状物体１７がかごの戸１に挟まれると、紐状物体１７が検出プレート１０の鋸歯状溝１０ａを横切った状態になる。この状態で紐状物体１７を引き抜こうと引っ張ると、或いはまたはエレベータの動きにより紐状物体１７が引っ張られると、鋸歯状溝１０ａに紐が確実に引っ掛り、検出プレート１０が上方または下方に引き寄せられる。その結果、紐状物体検出スイッチ１６が作動し、エレベータの運転を阻止する。同時にかご戸１を反転させる。但し、エレベータがドアーゾーンを大きく外れて越えている場合は、戸開動作は大きく開かないように戸開閉寸法を規制し、図示省略した別の戸開制限スイッチで制御することにより、戸開した開口から昇降路へペットが逃げて、２次災害が発生しないように未然に防止する。
【００１７】
この実施の形態１によれば、実施の形態１とほぼ同様の効果を奏することができる。
【図面の簡単な説明】
【００１８】
【図１】この発明の実施の形態１におけるエレベータの戸閉安全装置の構成を示す正面図である。
【図２】この発明の実施の形態１におけるエレベータの戸閉安全装置の要部構成を示す斜視図である。
【図３】図２のＡ−Ａ線に沿った断面図である。
【図４】図２のＢ−Ｂ線に沿った部分拡大断面図である。
【図５】図２のＣ−Ｃ線に沿った拡大断面図である。
【図６】図２のＤ−Ｄ線に沿った部分拡大断面図である。
【図７】紐状物体がかごの戸と乗場の戸に挟まれた状態を示す図３相当の断面図である。
【図８】この発明の実施の形態２におけるエレベータの戸閉安全装置の構成を示す正面図である。
【図９】図８のＥ部分を拡大して示す要部詳細図である。
【図１０】図８のＦ−Ｆ線に沿った部分拡大断面図である。
【図１１】従来のエレベータの戸閉安全装置の構成を示す正面図である。
【図１２】図１１のＧ−Ｇ線に沿った拡大断面図である。
【符号の説明】
【００１９】
１  かごの戸
２  接触棒
３  取付板
３ａ、３ｂはリンク
３ｃ  検出スイッチ
４、４ａ、４ｂ  ピン
５  敷居上面
５ａ  出入口上枠
６  接触棒
６ａ  鋸歯状溝
６ｂ  スライド用長穴
７  中枠
７ａ  三角溝カム
７ｂ  コロ
７ｃ  バネ
７ｄ  軸受（リンク支持部）
７ｅ  コロ付きリンク
７ｆ、７ｇ  ピン
８  紐状物体検出スイッチ
１０  検出プレート
１０ａ  鋸歯状溝
１０ｂ、１０ｃ  三角溝カム
１１  リンク
１１ａ  ピン
１２、１３、１４  取付板
１５  コロ付きロッド
１５ａ  コロ
１５ｂ  バネ押え
１５ｃ  バネ
１５ｄ  ガイド
１６  紐状物体検出スイッチ
１６ａ  コロ
【図１】
2008297120.tif 000003
【図２】
2008297120.tif 000004
【図３】
2008297120.tif 000005
【図４】
2008297120.tif 000006
【図５】
2008297120.tif 000007
【図６】
2008297120.tif 000008
【図７】
2008297120.tif 000009
【図８】
2008297120.tif 000010
【図９】
2008297120.tif 000011
【図１０】
2008297120.tif 000012
【図１１】
2008297120.tif 000013
【図１２】
2008297120.tif 000014